(57)【要約】      （修正有）【課題】フロント部の両側にヨロイを設け、該ヨロイ先端に補助継手を介して折畳み出来るように取付けたツルが、メガネを掛ける際に開いた状態から、バネ力の作用下においてさらに外方向へ僅かに押し開くことが出来るツル継手構造を提供する。【解決手段】補助継手７は撓み変形可能機能を備え、その一端は上記ヨロイ先端に軸ネジ８を介して回転可能に軸支され、そして補助継手７の他端にはツル２が取付けられ、ツル２を外方向へ押し開く際には該補助継手７が撓み変形することが出来る。【選択図】図１
0003144957.tif 000002
【実用新案登録請求の範囲】
【請求項１】
フロント部の両側にヨロイを設け、該ヨロイ先端に補助継手を介して折畳み出来るように取付けたツルが、メガネを掛ける際に開いた状態から、バネ力の作用下においてさらに外方向へ僅かに押し開くことが出来るツル継手構造において、上記補助継手は撓み変形可能機能を備え、その一端は上記ヨロイ先端に軸を介して回転可能に軸支され、そして補助継手の他端にはツルが取付けられ、ツルを外方向へ押し開く際には該補助継手が撓み変形することを特徴とするメガネのツル継手構造。
【請求項２】
上記補助継手の形状を概略Ｕ形とし、その一端はヨロイ先端に軸を介して軸支され、他端にはツルが固定され、補助継手の両先端間に隙間Ａを設けた請求項１記載のメガネのツル継手構造。
【請求項３】
上記補助継手の形状を概略Ｕ形とし、その一端はヨロイ先端に軸を介して軸支され、他端にはツルが固定され、そしてヨロイには穴を形成して上記補助継手を嵌めた請求項１記載のメガネのツル継手構造。
【考案の詳細な説明】
【技術分野】
【０００１】
本考案はメガネのツルを折畳み可能に連結すると共に、開いた状態からバネ力が付勢されて外方向へ僅かに開くことが出来るようにしたメガネのツル継手構造に関するものである。
【背景技術】
【０００２】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図８には最も基本的なバネ蝶番と称されるツル継手構造を示している。すなわち、該バネ蝶番の基本的な考えは、ヨロイ(イ)には固定蝶片(ロ)をロウ付け固定し、他方の蝶片を摺動蝶片(ハ)として一定距離の摺動を許すことによって外方向への開きをツル(ニ)に与えることが出来る。
【０００５】
ツル(ニ)にはガイド溝が形成され、摺動蝶片(ハ)はガイド溝を案内として摺動する訳であるが、上記摺動蝶片(ハ)の内部空洞にはコイルバネ(ホ)が収まっていて、ツル(ニ)を外ヘ開く際には摺動蝶片(ハ)が固定蝶片(ロ)側へ引張られて圧縮される。該コイルバネ(ホ)は摺動蝶片(ハ)の内部空洞入口に設けられてツル(ニ)の溝穴(ヘ)に係止したツメ(ト)に当たり、該ツメ(ト)はストッパーとして機能している。その結果、コイルバネ(ホ)の復元力がツル(ニ)に作用して、該ツル(ニ)を元の位置に戻そうとする。
【０００６】
ところで、上記摺動蝶片(ハ)にコイルバネ(ホ)を内蔵した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片(ハ)の内部空洞にコイルバネ(ホ)と芯金を押し込んでツメ(ト)に係止するならば、該ツメ(ト)並びにコイルバネ(ホ)を取り外すことが出来ない。
【０００７】
すなわち、ツメ(ト)は摺動蝶片(ハ)のガイドに拘束された状態でツメ(ト)の係止片(チ)が溝穴(ヘ)に嵌入し、芯金の頭(リ)はバネ力をもってツメ(ト)に当接し、係止片(チ)を溝穴(ヘ)へ押し込む力が働くことになる。従って、このツメ(ト)を摺動蝶片(ハ)から取外すことが出来なくなると同時に、修理は不能となる。
【０００８】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に組み付けが面倒であり、その為に修理が容易でない。上記図８に示すバネ蝶番を取付ける場合には、ツル(ニ)には摺動蝶片(ハ)が摺動するガイドを設ける必要があり、そしてコイルバネ(ホ)及び芯金を挿入し、ツメ(ト)を嵌めなくてはならず、一般的な蝶番をロウ付けして取付けるように簡単ではない。
【０００９】
又、同図に示すバネ蝶番では、コイルバネ(ホ)やツメ(ト)を収容する摺動蝶片(ハ)がツル(ニ)の内側に大きく突出した形態となり、メガネの外観が損なわれると共に重くなってしまう。近年のスリムなメガネフレーム用のバネ蝶番としては外観的にも適さない。
【特許文献１】特開２００１−２９０１０８号に係る「連結構造」
【考案の開示】
【考案が解決しようとする課題】
【００１０】
このように、従来のツル継手構造には上記のごとき問題がある。本考案が解決しようとする課題はこれら問題点であり、メガネフレームの外観を損なうことなく、しかもシンプルな構造にて従来のバネ蝶番と同じ機能を具備できるように構成されるツル継手構造を提供する。
【課題を解決するための手段】
【００１１】
本考案に係るメガネフレームのツル継手構造は、フロント部両側にはヨロイが設けられ、該ヨロイには補助継手が連結し、補助継手の先端にはツルが取付けられている。ここで、補助継手はバネ変形することが出来、そしてヨロイと継手軸を介して連結されている。ツルと補助継手は継手軸を介して折畳まれるが、補助継手はツルに固定されて屈曲することはない。
【００１２】
ところで、上記補助継手の具体的な形状は限定しないが、ツルを開いた状態でさらに外方向へ押し開くならば、該補助継手は撓み変形（バネ変形）することが出来、従来のバネ蝶番と同じ機能を発揮する。そして、該補助継手はツル端に取付けられているが、交換できる取付け構造と成っている。
【考案の効果】
【００１３】
本考案のツル継手構造は、ツル端に補助継手を取付けた構造であり、この補助継手はバネ変形可能な材質・形状と成っている。従って、ツルを開いた状態で外方向へ押し開くならば、補助継手は撓み変形することが出来、押し開かれたツルには補助継手のバネ力が付勢されて、顔の両側にはバネ力に基づく適度な押圧力が作用する。従って、顔に掛けたメガネは位置ズレすることなく安定する。そして、該補助継手はツル端に取付けられているが、取外し可能な取付け構造としている為に、補助継手が破損した場合には新たなものと交換できる。
【実施例】
【００１４】
図１は本考案のツル継手構造を備えているメガネフレームで、正面図と平面図を示している。又図２は側面図と平面図の一部を表している。同図の１はフロント部、２はツルを示し、フロント部１はレンズが嵌る両リム３，３と連結部材４で構成され、リム３，３の外側にはヨロイ５，５がロウ付けにて取着されている。そして、リム３，３の内側(フロント部中央)には鼻当てパット６，６が取付けられている。
【００１５】
ところで、上記ツル２はその端部に上記補助継手７を固定し、該補助継手７はヨロイ先端に連結されている。補助継手７は軸ネジ８を介してヨロイ５と連結し、その為に補助継手７及びツル２は折畳まれる。図１の右側ツル２は折畳まれた状態を表しているが、上記軸ネジ８を中心として回転することで折畳まれる。一方、左側ツル２は開いた状態から外方向へ押し開いた場合であり、該ツル２は補助継手７が撓み変形することで、ツル２を外方向へ押し開くことが出来る。
【００１６】
上記補助継手７は図３に示すように概略Ｕ形を成し、そのツル側端にはツル２が固定され、ヨロイ側端は軸ネジ８を介してヨロイ５と連結されている。そして、両先端間には隙間Ａを有し、ツル２はこの隙間Ａの範囲内で外方向へ押し開くことが出来る。従って、補助継手７はバネ性に優れた材質で構成され、ツル２を押し開く際に撓み変形出来る。
【００１７】
図４は本考案のツル継手構造を備えたメガネを示す他の実施例である。ツル継手構造に関しては前記図１のメガネと同じであるが、同図のメガネはレンズ９，９が嵌るリムを用いず、縁なしメガネを構成している。すなわち、両レンズ９，９は連結部材４の両端にネジ止めされ、レンズ外側にはヨロイ５，５をネジ止めにて取着している。そして、このヨロイ５，５には補助継手７，７が軸ネジ８，８を介して連結され、補助継手先端にはツル２，２が取付けられている。
【００１８】
図５は本考案のツル継手構造を備えた更なる別のメガネを示す実施例である。このメガネの場合、レンズ９，９の上半分を拘束するハーフリム１０，１０を用い、レンズ９，９の下側半分は水糸１１，１１などの高張力糸によって保持されている。そして、ハーフリム１０，１０の外側にはヨロイ５，５がロウ付けされ、このヨロイ５，５には軸ネジ８，８を介して補助継手１２，１２を連結し、該補助継手１２，１２にツル２，２を取付けている。
【００１９】
補助継手１２はツル２に固定され、ツル２と共に折畳まれるが、補助継手１２には薄肉部を形成していることで弾性変形するバネ性を備えている。従って、同図のように、ツル２を開いた状態から外方向へ押し開くならば、補助継手１２の薄肉部が変形する。すなわち、その機能は前記図１に示すツル継手構造に用いている概略Ｕ形の補助継手７の場合と共通する。
【００２０】
図６はさらに別のツル継手構造を備えたメガネを示す実施例である。このメガネの場合もハーフリム１３，１３が用いられ、レンズ９，９の上側半分をハーフリム１３，１３によって拘束され、レンズ下側半分は水糸１１，１１によって保持されている。そして、ハーフリム１３，１３の外側にはヨロイ５，５がロウ付けされていて、このヨロイ５，５に軸ネジ８，８を介して補助継手１４，１４が連結され、補助継手先端にはツル２，２が取付けられている。
【００２１】
ところで、同図に示す補助継手１４はその形状を概略Ｕ形とし、その一端はヨロイ５に軸ネジ８を介して軸支され、他端にはツル端が取着している。そして、ヨロイ５には穴１５が開口し、この穴１５に補助継手１４が嵌っている。同図において、右側のツル２は折畳まれた状態を示し、補助継手１４はツル２と共に折畳まれるが、上記軸ネジ８を中心として穴内において回転する。
【００２２】
一方、同図の左側のツル２は開いた状態から外方向へ押し開いた場合を表している。この場合、ツル２を開くことでＵ形をした補助継手１４の底部１６が穴底に当って停止し、さらにツル２を外方向へ押圧しても補助継手１４の回転は阻止されるが、撓み変形することが出来る。図７は補助継手１４の動作を表しており、（ａ）はツル２が折畳まれた場合、（ｂ）はツル２を外方向へ押し開いた場合である。
【図面の簡単な説明】
【００２３】
【図１】本考案のツル継手構造を備えたメガネの実施例。
【図２】図１のツル継手構造を備えたメガネの側面図と一部平面図。
【図３】ツル継手構造の詳細図。
【図４】本考案のツル継手構造を備えたメガネの実施例。
【図５】本考案のツル継手構造を備えたメガネの実施例。
【図６】本考案のツル継手構造を備えたメガネの実施例。
【図７】図６のツル継手構造を構成する補助継手の動作。
【図８】従来のバネ蝶番。
【符号の説明】
【００２４】
１  フロント部
２  ツル
３  リム
４  連結部材
５  ヨロイ
６  鼻当てパット
７  補助継手
８  軸ネジ
９  レンズ
10  ハーフリム
11  水糸
12  補助継手
13  ハーフリム
14  補助継手
15  穴
16  底部
【図１】
0003144957.tif 000003
【図２】
0003144957.tif 000004
【図３】
0003144957.tif 000005
【図４】
0003144957.tif 000006
【図５】
0003144957.tif 000007
【図６】
0003144957.tif 000008
【図７】
0003144957.tif 000009
【図８】
0003144957.tif 000010